(57)【要約】【課題】長期使用されるフィルタであっても、フィルタの捕集性能を安定的に向上させ、長期間安定した集塵性能を発揮できる空気清浄装置を提供すること。【解決手段】空気の吸込口３と吹出口４と、空気中の塵埃を捕集するプレフィルタろ材５と、通風路８にプレフィルタろ材を供給する巻き出し装置１３と巻き取り装置１４と、プレフィルタろ材に帯電を加える帯電部を備えた空気清浄装置において、前記帯電部を通風路８外に設置し、ファンの停止時に、プレフィルタろ材５の巻き出しと高圧電源から帯電部１８への電圧印加を行うことで、安定的に集塵性能を発揮できる空気清浄装置を得ることができる。【選択図】図３
2016064409.tif 000002
【特許請求の範囲】
【請求項１】
空気の吸込口と吹出口とそれらを連通する通風路を備え、前記通風路を通過する空気中の塵埃を捕集するろ材と、前記通風路に送風するファンと、前記通風路にろ材を供給する巻き出し装置と、前記通風路からろ材を回収する巻き取り装置と、ろ材に帯電を加える帯電部と高圧電源と制御部からなる帯電装置とを備えた空気清浄装置において、前記帯電部を前記通風路外に設置し、ファンの停止時に、ろ材の巻き出しと高圧電源から帯電部への電圧印加を行うことを特徴とする空気清浄装置。
【請求項２】
ろ材が、粗い繊維と細かい繊維を混合または張り合わせたものであり、通風路の上流側に粗い繊維の割合が多くなるようにろ材を配置し、細かい繊維を粗い繊維よりも強く帯電させるために、細かい繊維がアース側に面するように帯電部を配置することを特徴とする請求項１記載の空気清浄装置。
【請求項３】
巻き出し装置および巻き取り装置と、通風路とを、空間的に区切る風路壁を備え、前記風路壁にはスリット状の巻き出し口と巻き取り口を備え、前記スリットの幅が、相対的に巻き出し口のほうが巻き取り口よりも狭いことを特徴とする請求項１または２記載の空気清浄装置。
【請求項４】
帯電装置に電気的に接続されたイオン発生部を備え、前記イオン発生部が、ろ材の巻き出し時以外に、高圧電源から電圧を印加され、イオンを発生することを特徴とする請求項１から３いずれかに記載の空気清浄装置。
【請求項５】
帯電部は、放電部とアース部から構成され、前記アース部が、プレフィルタろ材に従動して回転する円筒状であることを特徴とする請求項１から４いずれかに記載の空気清浄装置。
【請求項６】
プリーツフィルタの下流にオゾン分解フィルタを備え、プリーツフィルタの上流に開閉式のダンパを備え、ファン７の停止時に、ダンパを開いて通風部にオゾンを充満させることを特徴とする請求項１から５いずれかに記載の空気清浄装置。
【発明の詳細な説明】
【技術分野】
【０００１】
本発明は、空気中の塵埃を捕集する空気清浄装置に関するものである。
【背景技術】
【０００２】
従来、この種の空気清浄装置には、空気吸込口に備えたフィルタと、前記空気吸込口の両側に円筒状のフィルタ収納ドラムを配置し、フィルタの目詰まりを検知する機構からの信号を受ける制御装置により、前記ドラム内に配置された巻き取り軸を駆動するモータを所定回転数回転させてフィルタを巻き取る空気清浄装置が知られている。（例えば、特許文献１参照）。
【０００３】
図１２に示すように、吸込口と吹出口の間に設けられたフィルタ１０１は、フィルタ１０１の巻き出しドラム１０２と巻き取りドラム１０３を備えている。フィルタ１０１の目詰まりを検知する機構から情報を受け取った制御装置１０４は、巻き取りドラム１０３の巻き取り軸を駆動するモータ１０５を所定回転数回転させて、フィルタ１０１を巻き取るものである。これにより、フィルタろ材の目詰まりが起こった際に、目詰まりしていないフィルタろ材に交換することができ、長期間使用できる空気清浄装置となっていた。
【０００４】
また、フィルタ自体が帯電しているエレクトレット材をはさむように、空間をあけて第一の電極と第二の電極を備え、電極間に高電圧を加えてエレクトレット材に電荷を与え続けて集塵性能を長寿命化する方法が知られていた。（例えば、特許文献２参照）。
【０００５】
図１３に示すように、ステンレス等の金属金網よりなる通気性のある平板状導電体を第一電極２０１と第二電極２０２とし、エレクトレット材からなる静電フィルタ２０３をその間に配設して、高圧電源２０４を第一電極２０１と第二電極２０２に接続したものである。高圧電源からの電圧印加によって、第一電極２０１と第二電極２０２の間に電界が生じ、静電フィルタ２０３は電界を帯び、矢印の方向から流れる空気中に含まれる塵埃が電界によって帯電した静電フィルタ２０３に吸着され、集塵されるものであった。
【先行技術文献】
【特許文献】
【０００６】
【特許文献１】実願昭５６−１４９９８４号（実開昭５８−５３２１６号公報）のマイクロフィルム）
【特許文献２】特許第２６０４８７２号公報
【発明の概要】
【発明が解決しようとする課題】
【０００７】
従来の空気清浄装置では、フィルタの目詰まりを検知して、フィルタを巻き取って目詰まりしていないフィルタを吸込口に配置することはできたが、フィルタの塵埃捕集性能を向上させることはできなかった。
【０００８】
また、フィルタのろ材として、あらかじめエレクトレット化されたろ材を用いることもできるが、エレクトレット材の帯電は永久的なものではなく、装置の運転停止時の湿度や埃の吸着、保管場所の化学物質の作用によって、帯電が中和され、集塵性能が低下するという課題があった。
【０００９】
また、エレクトレット材料と電極を備える方法では、風路に設置した電極にほこりが付着し、異常放電や電極の物理的な変形が生じる可能性があった。異常放電に至らない場合でも、少量のほこりが風路上の電極に付着すると、臭気をもつオゾンの発生量が増加して下流側に流出する可能性があった。また、風路面を覆う大きな電極面積が必要であり、電極材料の使用量が多くなるという課題があった。また、網状の第一の電極板と第二の電極板を備える必要があり、電極板自体が風路の圧力損失増加の原因となってしまうという課題があった。
【００１０】
そこで本発明は、上記従来の課題を解決するものであり、電界によって確実にフィルタの捕集性能を向上させ、かつ電極へのほこり付着による異常放電とオゾン発生を防止することができる空気清浄装置を提供することを目的とする。
【課題を解決するための手段】
【００１１】
そして、この目的を達成するために、本発明は、空気の吸込口と吹出口とそれらを連通する風路を備え、風路を通過する空気中の塵埃を捕集するろ材と、風路に送風するファンと、風路にろ材を供給する巻き出し装置と、風路からろ材を回収する巻き取り装置と、ろ材に帯電を加える帯電部と高圧電源と制御部からなる帯電装置とを備えた空気清浄装置において、前記帯電部を風路外に設置し、ファンの停止時に、ろ材の巻き出しと高圧電源から帯電部への電圧印加を行うことを特徴とするものであり、これにより所期の目的を達成するものである。
【発明の効果】
【００１２】
本発明によれば、長期保管され、長期使用されるフィルタであっても、フィルタの捕集性能を安定的に向上させ、かつ電極へのほこり付着による異常放電を防止することができ、長期間安定した集塵性能を発揮できる空気清浄装置を得ることができる。
【図面の簡単な説明】
【００１３】
【図１】本発明の実施の形態１の空気清浄装置の設置形態を示す概略図
【図２】同空気清浄装置を示す概略断面図
【図３】同空気清浄装置を示す概略断面図
【図４】同空気清浄装置の制御ブロック図
【図５】同空気清浄装置の動作フローチャート
【図６】同空気清浄装置の帯電部を示す概略断面図
【図７】同空気清浄装置の帯電部の別の一例を示す概略断面図
【図８】同空気清浄装置のプレフィルタろ材を示す概略断面図
【図９】本発明の実施の形態２の空気清浄装置を示す概略断面図
【図１０】本発明の実施の形態３の空気清浄装置を示す概略断面図
【図１１】同空気清浄装置の帯電部の拡大図
【図１２】従来の空気清浄装置を示す概略図
【図１３】従来のエアフィルタを示す概略斜視図
【発明を実施するための形態】
【００１４】
本発明の請求項１記載の空気清浄装置は、空気の吸込口と吹出口とそれらを連通する通風路を備え、前記通風路を通過する空気中の塵埃を捕集するろ材と、前記通風路に送風するファンと、前記通風路にろ材を供給する巻き出し装置と、前記通風路からろ材を回収する巻き取り装置と、ろ材に帯電を行なう帯電部と高圧電源と制御部からなる帯電装置とを備えた空気清浄装置において、前記帯電部を前記通風路外に設置し、ファンの停止時に、ろ材の巻き出しと高圧電源から帯電部への電圧印加を行うことを特徴とする。巻き出し装置は、巻き取り装置に連動して動作するものであり、少なくとも巻き取り装置にはろ材を移動させるための動力が備えられている。ろ材は、巻き出し装置・帯電部・通風路・巻き取り装置の順に移動される。
【００１５】
これにより、ろ材を通風路外から風路内に移動する際にろ材に帯電を行うため、ろ材保管時の水分や埃や化学物質の悪影響を受けることなく、安定した帯電量を備えたろ材を速やかに通風路に供給し、通風路を通過する空気中の塵埃を高効率に集塵することができる。また、帯電部が通風路外に備えられているため、通風路を通過するほこりが帯電部に付着して異常放電等の不具合を生じることがなく、ろ材に帯電作用を安定して加えることができる。また、ファンを停止させて電圧印加を行うため、通風路内に風の流れが発生せず、帯電部に風路からのほこりが侵入しにくいという効果を得ることができる。
【００１６】
一般的に、空気放電を行うと、空気イオンとともにオゾンが発生する。オゾンは有臭の気体であり、オゾンが通風路を伝って吹出口から流出すると不快感を生じさせる可能性がある。ろ材の帯電には空気放電が必要であり、できるだけオゾンの流出を抑制することが望ましい。本発明の空気清浄装置は、帯電部を通風路外に設置しているため、帯電部における放電によってオゾンが発生したとしても、通風路の吹き出し口からオゾンが排出されることがないという効果を得ることができる。また、巻き出し装置に巻き取って保管しているろ材にオゾンを作用させ、ろ材表面でのカビや細菌の繁殖を抑制してろ材の保管状態を良好に保つことができる。
【００１７】
また、ろ材が、粗い繊維と細かい繊維を混合または張り合わせたものであり、通風路の上流側に粗い繊維の割合が多くなるようにろ材を配置し、細かい繊維を粗い繊維よりも強く帯電させるために、細かい繊維がアース側に面するように帯電部を配置したことを特徴とする。空気中には粒子径の異なる塵埃が含まれており、一般的に大きな粒子を捕集するためには粗い繊維を用い、小さな粒子を捕集するためには粗い繊維が用いられる。全ての粒子径を捕集対象とする場合、粗い繊維と細かい繊維を混合または張り合わせたろ材を、通風路の上流側に粗い繊維の割合が多くなるように配置すると効率が良い。本発明では、粒子を物理的なろ過作用によって捕集することに加えて、ろ過では取りきれないより細かい粒子を、帯電部によって帯電された細かい繊維に捕集することができる。繊維は細かくなるほど同一重量あたりの表面積が増えることから、細かい粒子を捕集する場所を増やし、効率的かつ長期間使用できる空気清浄装置を提供することができる。
【００１８】
また、巻き出し装置および巻き取り装置と、通風路とを、空間的に区切る風路壁を備え、前記風路壁にはスリット状の巻き出し口と巻き取り口を備え、前記スリットの幅が、相対的に巻き出し口のほうが巻き取り口よりも狭いことを特徴とするものである。これにより、帯電部に塵埃等が流入するのを防ぎ、帯電部に通電する際に発生するオゾンが通風路に混入するのを防ぐことができる。また、ろ材と巻き取り口の端面が接触し、ろ材の破損や、一旦捕集した塵埃を通風路に再飛散させる恐れが少ないという効果を得ることができる。
【００１９】
また、帯電装置に電気的に接続されたイオン発生部を備え、前記イオン発生部が、ろ材の巻き出し時以外に、高圧電源から電圧を印加され、イオンを発生することを特徴とする。これにより、風路内部にイオンを供給して空気中を浮遊している細かい粒子を帯電させ、粒子同士の凝集作用による粗大化、および粒子の帯電による静電気付着力増加によって、プリーツフィルタの集塵性能をさらに向上させることができる。
【００２０】
また、アース部が、プレフィルタろ材に従動して回転する円筒状であることを特徴とする。放電部とアース部に加える電位差が大きい場合、静電気力とイオン風の作用によって、プレフィルタろ材は強くアース部に押し付けられる。本構成では、プレフィルタろ材が非常に薄い場合でも、プレフィルタろ材の延伸やしわの発生や破損が起こらず、集塵性能が低下しないという効果を得る事ができる。
【００２１】
また、プリーツフィルタの下流にオゾン分解フィルタを備え、プリーツフィルタの上流に開閉式のダンパを備え、ファンの停止時に、ダンパを開いて通風路にオゾンを充満させることを特徴とする。プレフィルタろ材とプリーツフィルタの間にオゾンを充満させ、ろ材表面に捕集したほこりに含まれているカビや細菌の繁殖を抑制して、ろ材からの臭気発生を防ぐことができる。プリーツフィルタの下流側にはオゾン分解フィルタが備えられているため、吹出口から室内にオゾンが流出しないという効果を得ることができる。
【００２２】
以下、本発明の実施の形態について図面を参照しながら説明する。
【００２３】
（実施の形態１）
図１に一例を示すように、本実施の形態１の空気清浄装置１は、住宅２の天井裏に設置されている。空気清浄装置１には、空気の吸込口３および吹出口４が備えられ、天井裏のダクトに接続されている。屋外の砂や花粉やほこり等を含む空気は、空気清浄装置１を通過することによって空気が清浄化され、屋内にきれいな空気が供給される仕組みである。
【００２４】
図２および図３に、空気清浄装置１の概略断面図を示す。図２は側面から見た空気清浄装置１を示す概略断面図、図３は上面から空気清浄装置１を示す概略断面図である。
【００２５】
屋外の空気は、空気清浄装置１の吸込口３から装置内に入り、通風路を通過する空気中の塵埃を捕集するろ材としてのプレフィルタろ材５を通過して、空気中に含まれる塵埃が除去される。さらに、プリーツフィルタ６を通過して、極微小の粒子まで除去された後、ファン７の作用によって、吹出口４から排出される。プレフィルタろ材５およびプリーツフィルタ６を配置した通風路８にはこれらプレフィルタろ材５の上流と下流、およびプリーツフィルタ６の下流に圧力センサ９が備えられており、プレフィルタろ材５およびプリーツフィルタ６の前後の圧力差を測定できる。
【００２６】
プレフィルタろ材５は、通風路８を空間的に区切る風路壁１０に設けたスリット状の巻き出し口１１と巻き取り口１２を通過して通風路８を横断するように配置される。プレフィルタろ材５は、通風路８外に設けられた円筒状の巻き出し装置１３から通風路８内へ供給され、同じく通風路８外に設けられた巻き取り装置１４に回収される。
【００２７】
プレフィルタろ材５は、通風路８外に備えられたアース部１５によって位置決めが行われ、巻き取り装置１４に備えられたモータが軸を一定時間回転させることによって、一定の距離移動をするものである。このとき、巻き出し装置１３は、巻き取り装置１４に連動して動作するものである。巻き出し装置１３と巻き出し口１１の間には、アース部１５と放電部１６が備えられており、巻き出し口１１を通ってプレフィルタろ材５は通風路８に供給され、巻き取り口１２を通って通風路８外の巻き取り装置１４に回収される。
【００２８】
本実施の形態の帯電装置１７は、図４の制御ブロック図に示すように、導電性の材料で構成されたアース部１５と放電部１６からなる帯電部１８と、高圧電源１９と、制御部２０を備えている。なお、放電部１６としては、先端が尖った放電針、あるいはタングステン線等の放電線を用いることができる。高圧電源１９からプラスまたはマイナスの高電圧をアース部１５と放電部１６に印加することにより、電界を発生させることができる。電界が生じた放電部１６とアース部１５の間に位置したプレフィルタろ材５は、電界によってろ材内部の樹脂に電位差が発生してエレクトレット化され、強く帯電した静電ろ材となる。
【００２９】
巻き出し装置１３から巻き出された非帯電のプレフィルタろ材５ａは、電位差が生じている放電部１６とアース部１５の間を通過することによって、帯電したプレフィルタろ材５ｂとなって通風路８に供給される。
【００３０】
本発明の構成では、通風路８外に筒状に巻きとって保管されていた非帯電のプレフィルタろ材５ａを、通風路８外でエレクトレット化して微細な塵埃の捕集性能を向上させた後、即座に通風路８に移動させて塵埃の捕集に用いることができる。そのため、保管時の湿度やほこりの付着や化学物質の作用によって、エレクトレットの性能が低下することがないという効果を得ることができる。また、帯電部１８が風路外にあるため、塵埃等で帯電部１８が汚れて異常放電を起こすことがなく、虫や人の手が放電部１６に触れる危険性も低下し、安全性に優れた空気清浄装置とすることができる。また、放電によってオゾンが発生しても、オゾン発生場所が通風路８外であるため、吹出口４にオゾンが混入しにくいという効果を得ることができる。
【００３１】
巻き出し口１１と巻き取り口１２はスリット状の開口であり、プレフィルタろ材５が通過できるスリット幅になっている。スリット幅は、相対的に巻き出し口１１のほうが巻き取り口１２よりも狭い。巻き出し口１１は狭いほうが好ましく、「塵埃等が風路から流入しにくい」、「帯電部に通電する際に発生するオゾンが通風路に混入するのを防ぐ」、「虫や人の手が高電圧部に触れる危険性を低下させる」などの効果を得ることができる。巻き出し口１１のスリット幅は、０．５ｍｍ〜１０ｍｍ程度が好ましい。
【００３２】
一方、巻き取り口１２は、プレフィルタろ材５に塵埃が捕集された状態で通過していくため、プレフィルタろ材の厚みに捕集した塵埃の厚みを加えたスリット幅をもつ必要がある。スリット幅が十分広くないと、プレフィルタろ材５と巻き取り口１２の端面が接触し、プレフィルタろ材５の破損や、一旦捕集した塵埃を通風路８に再飛散させてしまう恐れがあり、好ましくは、１ｍｍ〜２０ｍｍ程度である。
【００３３】
本発明の空気清浄装置の動作を示すフローチャートが図５である。
【００３４】
ファン７を運転する（Ｓ１）と、吹出口４から塵埃を含む空気が装置内に導入され、吹出口４からダクトに向かって排出される。空気中の塵埃がプレフィルタろ材５に捕集されると、徐々に目詰まりが発生していく。圧力センサ９によって、プレフィルタろ材５の上流と下流の圧力差を計測する（Ｓ２）と、プレフィルタろ材５の目詰まりが許容範囲を超え任意に設定した圧力差以上の値が検出された時に、プレフィルタろ材５を交換する必要があることがわかる。
【００３５】
設定差圧を越えた時（Ｓ３）には、制御部２０からファン７および高圧電源１９に信号を送り、ファンを停止し（Ｓ４）、高圧電源１９に高電圧を印加し（Ｓ５）、巻き取り装置１４をＯＮ（Ｓ６）にして、目詰まりしていないプレフィルタろ材５を風路内に供給する。一定時間プレフィルタを風路側に供給した後、ファンを一時的に運転して、再び圧力センサで差圧を計測（Ｓ７）し、差圧が設定値以上であれば、さらに巻き取り装置を作動させる。差圧が設定値以下となれば交換が完了したと判断し、巻き取り装置を停止（Ｓ９）し、高圧電源を停止（Ｓ１０）し、ファンをＯＮ（Ｓ１１）にする。
【００３６】
これらの動作によって、風路に帯電したプレフィルタろ材５ｂを継続的に供給し、空気清浄装置１の風量を一定範囲内に保つことができる。
【００３７】
帯電装置１７の概略断面図を図６に示す。
【００３８】
帯電装置１７は、アース部１５と針状の放電部１６の間にプレフィルタろ材５を通過させている。板状のアース部１５とプレフィルタろ材５は接触しており、プレフィルタろ材５のたわみを防止するためにフィルタ押さえ２１を備えている。フィルタ押さえ２１は非導電性の材料で構成され、放電部１６とアース部１５を結ぶ仮想線の範囲外に位置している。これによって、放電部１６とアース部１５との間で生じているコロナ放電を妨げることなく、プレフィルタろ材５の位置を安定させることができる。なお、放電部は針状に限定されるものではなく、線状のワイヤを用いてもよい。またプレフィルタろ材５を帯電させる電圧は、プラスでもマイナスでもよい。
【００３９】
帯電装置１７の概略断面図の別の一例を図７に示す。放電部１６とアース部１５に加える電位差が大きい場合、静電気力とイオン風の作用によって、プレフィルタろ材５は強くアース部１５に押し付けられる。プレフィルタろ材５が１〜１０ｍｍ程度で非常に薄い場合、巻取りのために押し付けられた状態のままプレフィルタろ材５を引っ張ると、プレフィルタろ材５の延伸や、しわの発生や破損が起こる場合がある。延伸やしわの発生や破損したプレフィルタろ材５は、集塵性能の低下を起こすため好ましくない。このような場合には、図７のようにアース部１５を、筒の中心を軸として回転自在な円筒状とするとよい。プレフィルタろ材５に従動して、円筒状のアース部１５が回転することで、プレフィルタろ材５とアース部１５の接触面がこすれることなく移動し、プレフィルタろ材５にかかる摩擦力が低減するため、プレフィルタろ材５の変形や破損を防止することができる。
【００４０】
図８は、プレフィルタろ材５の拡大断面図である。プレフィルタろ材５は、風路の上流側に粗い繊維の割合が多くなるように配置され、細かい繊維を粗い繊維よりも強く帯電させるために、細かい繊維がアース部１５側に面するように帯電部１８を配置されている。これにより、粒子を物理的なろ過作用によって、主に粗い繊維で捕集し、さらに、ろ過では取りきれないより細かい粒子を、帯電の作用によって細かい繊維に捕集することができる。繊維は細かくなるほど同一重量あたりの表面積が増えることから、細かい粒子を捕集する場所を増やし、効率的かつ長期間使用できるフィルタ装置を提供することができる。
【００４１】
（実施の形態２）
図９は、イオン発生部２４を備えたフィルタ装置の一例である。
【００４２】
プレフィルタろ材５を帯電させるための、アース部１５と放電部１６からなる帯電部１８とは別に、イオン発生部２４を備えている。
【００４３】
イオン発生部２４は、プレフィルタろ材５とプリーツフィルタ６の間の通風路８にイオンを供給できる位置に設置されている。なお、図９でイオン発生部２４は、プレフィルタろ材５の下流側に備えられているが、プレフィルタろ材５の上流側に備えてもよい。イオン発生部２４は、４〜２０ｋＶの高電圧を加えたときに０．０１〜０．５μＡ程度の弱い放電を継続させように電極間距離と形状を設定したものであり、空気中にコロナ放電を生じさせることでイオンを発生させることができる。
【００４４】
一方、帯電部１８は、４〜２０ｋＶの高電圧を加えたときに、０．１〜０．５ｍＡの放電を示し、電流密度として０．５〜２．５ｍＡ／ｍになるように電極間距離と形状を設定したものである。電流密度は、増加させることでプレフィルタろ材５の帯電量を増やして集塵効率を向上させることができるが、増加させすぎると、ろ材を構成する樹脂にダメージを与えるため最適値がある。高圧電源１９は共用とし、切り替えスイッチを用いて、巻き取り装置１４を動作させるときには帯電部１８に電流を供給し、巻き取り装置１４を停止した際にはイオン発生部２４に電流を供給するように切り替える。このようにすることで、一つの高圧電源１９を用いて、プレフィルタろ材５のエレクトレット加工と、プリーツフィルタ６へのイオン放出の動作を行うことができる。プリーツフィルタ６の上流側にイオンを充満させることで、プレフィルタろ材５を通過した空気中の微粒子状の塵埃を、プラスまたはマイナスに帯電させて、プリーツフィルタ６の集塵性能をさらに向上させることができる。
【００４５】
（実施の形態３）
図１０および図１１は、プリーツフィルタ６の下流にオゾン分解フィルタ２５を備え、プリーツフィルタ６の上流に開閉式のダンパ２６を備えたフィルタ装置である。ダンパ２６は、閉じた状態では通風路８を空間的に区切る風路壁１０に接した状態になり空気の移動を遮断する。開いた状態では、放電部１６と通風路８の間で空気が移動できるように開口する。図１０および図１１は、ダンパ２６が開いた状態である。
【００４６】
ファン７の停止時に、高圧電源１９に高電圧を印加すると、針状の放電部１６の周囲にはコロナ放電が発生し、酸素がオゾンに変化する。この状態でダンパ２６を開放すると、オゾンは自然拡散によって放電部１６から通風路８に向かって流出していく。オゾンは、プレフィルタろ材５とプリーツフィルタ６の間に充満する。さらに、プレフィルタの繊維は目が粗いため、ガス状のオゾンはプレフィルタを通過してプレフィルタの上流側に拡散していく。そして、オゾンの作用によって、プレフィルタろ材５およびプリーツフィルタ６の表面に捕集されたほこりに含まれているカビや細菌は繁殖抑制され、ろ材を清潔に保つことができる。またカビの発生による臭気を防ぐという効果を得る事ができる。なお、プリーツフィルタ６の下流側にはオゾン分解フィルタ２５が備えられているため、吹出口４から室内にオゾンが流出することはない。オゾン分解フィルタ２５には、活性炭・二酸化マンガン・酸化コバルトなどの粒状の触媒材料を用いることができる。
【産業上の利用可能性】
【００４７】
本発明にかかる空気清浄装置は、長期使用されるフィルタであっても、フィルタの捕集性能を向上させ、かつ電極へのほこり付着による異常放電を防止することができ、長期間安定した集塵性能を発揮できるものであるので、家庭用あるいは業務用として使用される空気清浄装置、屋外からの外気導入装置として有用である。
【符号の説明】
【００４８】
１    空気清浄装置
２    住宅
３    吸込口
４    吹出口
５    プレフィルタろ材
５ａ  非帯電のプレフィルタろ材
５ｂ  帯電したプレフィルタろ材
６    プリーツフィルタ
７    ファン
８    通風路
９    圧力センサ
１０  風路壁
１１  巻き出し口
１２  巻き取り口
１３  巻き出し装置
１４  巻き取り装置
１５  アース部
１６  放電部
１７  帯電装置
１８  帯電部
１９  高圧電源
２０  制御部
２１  フィルタ押さえ
２２  粗い繊維
２３  細かい繊維
２４  イオン発生部
２５  オゾン分解フィルタ
２６  ダンパ
１０１  フィルタ
１０２  巻き出しドラム
１０３  巻き取りドラム
１０４  制御装置
１０５  モータ
１０６  巻き取り軸
２０１  第一電極
２０２  第二電極
２０３  静電フィルタ
２０４  高圧電源
【図１】
2016064409.tif 000003
【図２】
2016064409.tif 000004
【図３】
2016064409.tif 000005
【図４】
2016064409.tif 000006
【図５】
2016064409.tif 000007
【図６】
2016064409.tif 000008
【図７】
2016064409.tif 000009
【図８】
2016064409.tif 000010
【図９】
2016064409.tif 000011
【図１０】
2016064409.tif 000012
【図１１】
2016064409.tif 000013
【図１２】
2016064409.tif 000014
【図１３】
2016064409.tif 000015